(57)【特許請求の範囲】
【請求項１】
ブラケット本体と、ボルトと、ナットと、ナットを保持するナットガイドとを備え、ブラケット本体は、外周壁と、外周壁の内側面に形成した係合部と、外周壁を貫通する挿通孔とを有していて、ナットガイドはナットを保持して係合部にスライド係合しており、ボルトは挿通孔を通してナットに螺合しており、係合部はボルトの進退方向と直交する方向に形成した溝状のものであり、ナットガイドは基板部を有していて係合部の端部から挿入してあり、ナットをナットガイドの基板部とブラケット本体の外周壁で挟んで固定してあることを特徴とするブラケット。
【請求項２】
構造材同士を請求項１記載のブラケットにより連結して構成したことを特徴とする建築構造体。
【発明の詳細な説明】
【技術分野】
【０００１】
本発明は、形材同士を連結するためのブラケット及びこれを用いて構成した建築構造体に関する。
【背景技術】
【０００２】
従来、形材からなる柱と梁に関して、柱の上端部を梁の下面に連結する際には、特許文献１に示すようなブラケット（連結部材）が用いられている。このブラケットは、箱状で周囲にネジ孔を形成したものであって、柱の上端の中空部に挿入して、柱の外側からネジ止めして固定する。そしてこのブラケットに上側から梁をネジ止めして、柱と梁を連結する。
【先行技術文献】
【特許文献】
【０００３】
【特許文献１】特開平１０−１９５９８２号公報
【発明の概要】
【発明が解決しようとする課題】
【０００４】
しかしながら、このブラケットのように、ブラケットの本体に直接ネジを螺合させる構成であると、複数のネジ孔にネジ切り加工を施して雌ネジを形成するのに手間がかかる点が問題であった。
【０００５】
本発明は、上記事情を鑑みたものであり、形材同士を連結するためのものであって製造が容易なブラケット及びこれを用いて構成した建築構造体を提供することを目的とする。
【課題を解決するための手段】
【０００６】
本発明のうち請求項１の発明は、ブラケット本体と、ボルトと、ナットと、ナットを保持するナットガイドとを備え、ブラケット本体は、外周壁と、外周壁の内側面に形成した係合部と、外周壁を貫通する挿通孔とを有していて、ナットガイドはナットを保持して係合部にスライド係合しており、ボルトは挿通孔を通してナットに螺合しており、係合部はボルトの進退方向と直交する方向に形成した溝状のものであり、ナットガイドは基板部を有していて係合部の端部から挿入してあり、ナットをナットガイドの基板部とブラケット本体の外周壁で挟んで固定してあることを特徴とする。なお、係合部については、溝のような開口した形状のものと、溝に蓋をしたような開口していない形状のものの両方を含む。
【０００７】
本発明のうち請求項２の発明は、構造材同士を請求項１記載のブラケットにより連結して構成したことを特徴とする。
【発明の効果】
【０００８】
本発明のうち請求項１の発明によれば、ナットを用いることにより、ブラケット本体にネジ切り加工を施す必要がないので、製造が容易であり、その分コストも低減できる。そして、ナットガイドによりナットを保持し、このナットガイドをブラケット本体の係合部にスライド係合させて固定するので、ナットを所定の位置に固定することが容易であって、またナットが作業時や運搬時に脱落することがない。
【０００９】
本発明のうち請求項２の発明によれば、請求項１記載のブラケットを用いることにより、施工作業が容易となり、またコストも低減できる。
【図面の簡単な説明】
【００１０】
【図１】（ａ）はブラケットの取付部分の側面図であり、（ｂ）はＡ方向視図である。
【図２】ナットガイドの三面図であり、（ａ）は平面図、（ｂ）は正面図、（ｃ）は側面図である。
【図３】係合部にナットガイドを固定した状態を示す説明図である。
【図４】ブラケットの取付部分の分解斜視図である。
【図５】テラスの側面図である。
【図６】テラスの正面図である。
【図７】（ａ）、（ｂ）は何れも係合部の別実施形態の説明図である。
【発明を実施するための形態】
【００１１】
以下、本発明の実施の形態を図面に基づいて説明する。なお、以下において上下左右とは、図６中の上下左右方向を示し、前側は図６の手前側、後側は図６の奥側を示す。本発明のブラケットは、構造材同士を連結するためものとして種々の建築構造体において用いることができるが、ここではテラスの柱と梁の連結に用いた場合を示す。このテラスは、図５及び図６に示すように、建築物の壁面Ｗの前側に隣接して設置するものであり、前側に向かって下方に傾斜する屋根６と、屋根６を支持する左右の柱４とを備える。屋根６は、前後に延びる左右二本の梁５の上に、格子状に組んだ枠体６１を載せてあって、枠体６１の上面にパネル６２を取り付けたものであり、左右の梁５の下面に柱４の上端部を連結してある。屋根６の後端部は壁面Ｗから離隔しており、屋根６は二本の柱４のみによって支持されている。
【００１２】
続いて、柱４と梁５の連結部分について詳述する。柱４と梁５は、何れも断面略矩形の中空形材であり、それぞれ中空部４１，５１を有している。図４に示すように、柱４の上端部の前後の面には上向きに開口する略コ字形の切欠部４２を形成してあり、切欠部４２に梁５が納まる。ただし、前後の切欠部４２は上下に段違いになっており、梁５は前側に向かって下方に傾斜する。そして、柱４と梁５とは本発明のブラケット１０により連結される。
【００１３】
このブラケット１０は、図１に示すように、ブラケット本体１と、ボルト７と、ナット２と、ナット２を保持するためのナットガイド３とを備える。ブラケット本体１は押出形材からなるものであり、図１及び図４に示すように、押出方向が左右方向に一致していて、前側、後側及び上側に外周壁１１（前側壁１１ａ、後側壁１１ｂ及び上側壁１１ｃ）を有している。前側壁１１ａ及び後側壁１１ｂは垂直な壁面であって前後に対向して位置しており、上側壁１１ｃは、屋根６（梁５）の傾斜に合わせて前側に向かって下方に傾斜している。さらに、外周壁１１の内側には二枚の補強壁１４を設けてあり、外周壁１１と補強壁１４とで略三角形のトラス状構造を形成して、強度を高めてある。そして、前側壁１１ａ、後側壁１１ｂ及び上側壁１１ｃのそれぞれの内周側面には、係合部１２を二つずつ形成してある。係合部１２は、ナット２を保持したナットガイド３を固定するものである。その形状は断面略矩形の溝状であって、押出方向（左右方向）に延びており、内周側向きに開口している。この係合部１２は、前側壁１１ａや後側壁１１ｂに設けたもののように、外周壁１１の内周側面から内周側に突出して形成するものであってもよいし、上側壁１１ｃの前側に設けたもののように、内周側面を外周側に掘り込んで形成するものであってもよい。そして、各係合部１２の開口端には、溝の内側に向かって延びる爪部１５を形成してある。また、各係合部１２において、溝の底面にあたる面（外周壁１１）には、内外周方向に貫通する挿通孔１３を形成してある。挿通孔１３は、各係合部１２につき二つずつ形成してあり、ナットガイド３により保持されたナット２のネジ孔２１に連通する。
【００１４】
次に、ナットガイド３について説明する。ナットガイド３は、樹脂製であって、図２に示すように、略矩形平板形状の基板部３１と、基板部３１の一方の面（この面をナットガイド３の正面とする（図２（ｂ）））に形成したナット２の保持部３２とを備える。基板部３１は、長手方向長さがブラケット本体１の左右方向長さに略等しく、短手方向長さが係合部１２の溝幅よりも僅かに短い。保持部３２は、正面視して略への字形の二つの突起からなり、その間に六角形のナット２が嵌まるものである。保持部３２は基板部３１の長手方向に二つ並んで形成してある。また、保持部３２の二つの突起の間には、基板部３１を貫通する貫通孔３３を形成してある。さらに、二つの保持部３２の間（基板部３１の中央）には、円筒形状の柱部３４を形成してある。また、基板部３１の長辺に沿って背面側を切り欠き、段部３５を形成してある。さらに、基板部３１の長手両側面には、突起部３６を形成してある。突起部３６は四角錐形状のものであって、保持部３２及び柱部３４の位置に合わせて三つずつ形成してある。突起部３６を含めたナットガイド３の短手方向長さは、ブラケット本体１の係合部１２の溝幅よりも長くなっている。
【００１５】
次に、このブラケット１０により柱４と梁５とを連結する際の手順について説明する。まず、ナットガイド３の保持部３２にナット２を嵌め込んで（図４中のａ）、ブラケット本体１の係合部１２に左右方向からスライドさせて挿入する（図４中のｂ）。図４では一つのナットガイド３のみ図示しているが、実際には六つのナットガイド３を挿入する。この際、図３に示すように、ナットガイド３の正面をブラケット本体１の外周側（外周壁１１側）に向けて、ナットガイド３の段部３５を係合部１２の爪部１５に係合させる。突起部３６を含めたナットガイド３の短手方向長さは、係合部１２の溝幅よりも長いが、ナットガイド３は樹脂製であるから、突起部３６が押し潰されることで、ナットガイド３がブラケット本体１に固定される。これにより、ナット２もナットガイド３の基板部３１とブラケット本体１の外周壁１１に挟まれて固定される。また、このようにしてナットガイド３をブラケット本体１に取り付けることで、ブラケット本体１の挿通孔１３と、ナット２のネジ孔２１と、ナットガイド３の貫通孔３３とが連通する。そして、このブラケット本体１を柱４の中空部４１に挿入する（図４中のｃ）。ブラケット本体１は柱４の中空部４１に丁度納まる大きさとなっており、柱４には、ブラケット本体１の前側壁１１ａ及び後側壁１１ｂの挿通孔１３の位置に合わせてボルト孔４３が形成されている。このボルト孔４３にボルト７を挿入してねじ込むことで（図４中のｄ）、ナット２にボルト７が螺合し、ブラケット本体１を柱４に固定することができる。その際、ボルト７には、ワッシャ７２及び取付台座７３を通す。取付台座７３はリング状のものであって、後述のボルトキャップ７１を取り付けるためのものである。最後に、このようにして柱４の上端部に取り付けたブラケット本体１に対して、図１に示すように、上側から梁５をボルト止めする。梁５を固定するボルト７は、ブラケット本体１の上側壁１１ｃに取り付けたナット２に螺合する。ここで、梁５の中空部５１の連結部分には、中空形材からなる補強材５２を挿入してある。なお、柱４にブラケット本体１を固定するためのボルト７は、視認できる箇所にあるので、ボルトキャップ７１を被せてボルト７の頭部を隠すのが望ましい。ボルトキャップ７１は、取付台座７３に係合して固定される。
【００１６】
このように、本発明においては、ブラケット本体１にナット２を取り付けて用いることにより、ブラケット本体１にネジ切り加工を施す必要がないので、製造が容易であり、その分コストも低減できる。そして、ナットガイド３によりナット２を保持し、このナットガイド３をブラケット本体１の係合部１２に挿入するだけで固定できるので、ナット２を所定の位置に固定することが容易であって、またナット２が作業時や運搬時に脱落することがなく、建築構造体の施工作業も容易となる。
【００１７】
なお、係合部１２については、図７（ａ）に示すように、溝に蓋をしたような開口していない形状であってもよい。この場合でも、図１に示した場合と同様に、係合部１２にナットガイド３を挿入して、ナット２にボルト７を螺合させることができる。ただし、この場合、ボルト７の先端が係合部１２の内周側壁面１６に当たるおそれがあるので、あらかじめボルト７の長さを調節しておくか、または図７（ａ）に示すように、ボルト７が当たる箇所に逃がし孔１７を形成しておくか、あるいは図７（ｂ）に示すように、内周側壁面１６を内周側に移動させるかしなければならない。一方、係合部１２が図１に示すように内周側向きに開口している場合、ボルト７の先端が係合部１２に当たることはないので、この構成が最も簡易で望ましい。
【００１８】
本発明は、上記の実施形態に限定されない。たとえば、このブラケットは、構造材の端部同士を直線的に連結する場合など、異なる態様の連結にも用いることができる。その場合、連結の態様に合わせて、ブラケット本体の形状も適宜変更される。また、このブラケットは、テラスのほか、カーポートや組立家屋など、種々の建築構造体に適用できる。なお、ナットガイドをブラケット本体に確実に固定しなければならない場合には、ブラケット本体の外周壁にネジ孔を形成し、ネジを柱部に螺合させ、ブラケット本体に対してナットガイドをネジ止めすることもできる。
【符号の説明】
【００１９】
１  ブラケット本体
２  ナット
３  ナットガイド
４  柱（構造材）
５  梁（構造材）
７  ボルト
１０  ブラケット
１１  外周壁
１２  係合部
１３  挿通孔
【図１】
0005841440.tif 000002
【図２】
0005841440.tif 000003
【図３】
0005841440.tif 000004
【図４】
0005841440.tif 000005
【図５】
0005841440.tif 000006
【図６】
0005841440.tif 000007
【図７】
0005841440.tif 000008